(57)【要約】【課題】発光斑が少なく、且つ斜め方向からでも十分に視認可能な発光装置を提供すること。【解決手段】頂点側が後方に向くように配置される錘状レンズと、多数の凹凸を有し前記錘状レンズの前方に配置される光拡散部と、前記錘状レンズの後方に配置され色合いの異なる光を発する２種以上の発光体と、前記発光体の発光制御を行う制御装置とを備え、前記制御装置によって前記発光体を制御して色合いの異なる光を選択的に出射可能に構成されていることを特徴とする。【選択図】図４
2005243919.tif 000002
【特許請求の範囲】
【請求項１】
錘状部分を有し頂点側が後方に向くように配置されるレンズと、多数の凹凸を有し前記レンズの前方に設けられた光拡散部と、前記レンズの後側に配置され色合いの異なる光を発する２種以上の発光体と、前記発光体の発光制御を行う制御装置とを備え、前記制御装置によって前記発光体を制御して色合いの異なる光を選択的に出射可能に構成されていることを特徴とする発光装置。
【請求項２】
前記発光体は発光ダイオードであることを特徴とする請求項１に記載の発光装置。
【請求項３】
前記制御装置によって前記発光体を制御することによって青色及び赤色の光を選択的に出射可能に構成されていることを特徴とする請求項１又は２に記載の発光装置。
【請求項４】
前記制御装置によって前記発光体を制御することによって青色、黄色及び赤色の光を選択的に出射可能に構成されていることを特徴とする請求項１又は２に記載の発光装置。
【請求項５】
前記制御装置によって前記発光体を制御することによって色合いの異なる光を発する２種以上の発光体を同時に発光可能に構成されていることを特徴とする請求項１から４いずれか一に記載の発光装置。
【発明の詳細な説明】
【技術分野】
【０００１】
本発明は、発光装置に関するもので、詳しくは、光源として複数色の発光体を持つ発光装置に関するものである。
【背景技術】
【０００２】
例えば、青，黄，赤の３色の発光体をそれぞれ複数個並べて基板に配置し、それら発光体のうちの同色の発光体を順次点灯させることによって、進め，注意，止まれの指示を行なう信号機が提案されている（例えば、特許文献１参照）。
【特許文献１】特開平１０−６３９９４号公報（図１および図３）
【発明の開示】
【発明が解決しようとする課題】
【０００３】
しかしながら、上記特許文献１の信号機では、発光体の光を直接外部に出射させているため、点灯している発光体の部分が明るく、消灯している発光体の部分が暗くなり、全体として発光斑が生じると共に、指向性が強く光が斜め方向からは見にくいという問題があった。
【０００４】
本発明は、かかる問題点に鑑みてなされたもので、発光斑が少なく、且つ斜め方向から十分に視認可能な発光装置を提供することを目的とする。
【課題を解決するための手段】
【０００５】
請求項１に記載の発光装置は、錘状部分を有し頂点側が後方に向くように配置されるレンズと、多数の凹凸を有し前記レンズの前方に設けられた光拡散部と、前記レンズの後側に配置され色合いの異なる光を発する２種以上の発光体と、前記発光体の発光制御を行う制御装置とを備え、前記制御装置によって前記発光体を制御して色合いの異なる光を選択的に出射可能に構成されていることを特徴とする。この場合、発光体からの光の大部分がレンズに可及的に入射するように構成することが好ましい。例えば、発光体の周りを鏡などで覆い、鏡側に向けて放たれる光を鏡で反射して錘状レンズに向けるようにすることが好ましい。
【０００６】
請求項２に記載の発光装置は、請求項１に記載の発光装置において、前記発光体は発光ダイオードであることを特徴とする。
【０００７】
請求項３に記載の発光装置は、請求項１又は２に記載の発光装置において、前記制御装置によって前記発光体を制御することによって青色及び赤色の光を選択的に出射可能に構成されていることを特徴とする。
【０００８】
請求項４に記載の発光装置は、請求項１又は２に記載の発光装置において、前記制御装置によって前記発光体を制御することによって青色、黄色及び赤色の光を選択的に出射可能に構成されていることを特徴とする。
【０００９】
請求項５に記載の発光装置は、請求項１から４いずれか一に記載の発光装置において、前記制御装置によって前記発光体を制御することによって色合いの異なる光を発する２種以上の発光体を同時に発光可能に構成されていることを特徴とする。
【発明の効果】
【００１０】
請求項１に記載の発光装置によれば、レンズに入射した光は、レンズの周面等で屈折や反射して適度に拡散された状態で錘状レンズから出射する。そして、さらに光拡散部の凹凸で十分に拡散されて様々な方向に出射される。
【００１１】
請求項２に記載の発光装置によれば、発光体として発光ダイオードを使用しているので、消費電力が少なくて済む。
【００１２】
請求項３に記載の発光装置によれば、青色及び赤色の光を選択的に出射可能に構成されているので、信号灯に使用することができる。
【００１３】
請求項４に記載の発光装置によれば、青色、黄色及び赤色の光を選択的に出射可能に構成されているので、信号灯に使用することができる。
【００１４】
請求項５に記載の発光装置によれば、色合いの異なる光を組み合わせることで出射する光の色に変化を持たせることができる。
【発明を実施するための最良の形態】
【００１５】
以下に、本発明に係る発光装置を図面を参照しながら説明する。
図１は本発明に係る発光装置の斜視図、図２はその発光装置の分解斜視図、図３は発光体の配置の１例を示した正面図、図４は図１に示した発光装置の断面図である。
【００１６】
この発光装置１は、図２に示したように、前後に開口２ａ，２ｂを有するケース２と、ケース２内に配設されるレンズ３ａと、透明体３の前部に配置される光拡散板４と、光拡散板４を縁取りする開口枠５と、色合いの異なる光を発する発光体６と、発光体６が取り付けられた基板７と、ケース２の後部に装着される後部蓋体８とによって構成されている。
【００１７】
ケース２は特に限定はされないが角形の箱として構成されている。ケース２の材質はプラスチック、木又は金属等いずれであってもよい。ケース２の前側には方形の開口２ａが形成され、ケース２の後側には円形の開口２ｂが形成されている。なお、ケース２の内面は鏡面となっていることが好ましい。鏡面とするには銀箔を貼るか、銀メッキをするか、鏡を組み付ければよい。このようにしてケース２の内面を鏡面化することで光のロスを可及的になくすことができる。
【００１８】
レンズ３ａとしては円錐状のレンズが用いられている。レンズ３ａは頂点側が後方を向くようにレンズカバー３ｂによって保持される。レンズカバー３ｂは後端に開口３ｂ−１を持ち、前端が閉塞された構造となっている。このレンズカバー３ｂの後端の開口３ｂ−１からはレンズ３ａが底の方から挿入される。そして、レンズ３ａが挿入されたレンズカバー３ｂは後端の鍔部分が前記開口２ｂに嵌合する状態でケース２内に設置される。
このうちレンズ３ａの材質は透明ガラスや透明プラスチック、一方、レンズカバー３ｂの材質は透明プラスチックとなっている。
なお、レンズカバー３ｂの内面は鏡面となっていることが好ましい。鏡面とするには銀箔を貼るか、銀メッキをするか、鏡を組み付ければよい。このようにしてケース２の内面を鏡面化することで光のロスを可及的になくすことができる。また、レンズカバー３ｂは円筒状であってもよい。すなわち、レンズカバー３ｂは前端が閉塞された構造となっていなくてもよい。
【００１９】
光拡散板（光拡散部）４は表面一面又は裏面一面に多数の凹凸が形成された構成となっている。この光拡散板４の材質は透明ガラスや透明プラスチックとなっている。なお、この実施形態では、光拡散板４はレンズ３ａやレンズカバー３ｂとは別体となっているが、レンズ３ａやレンズカバー３ｂに多数の凹凸を設けて、そこの部分を光拡散部としてもよい。
【００２０】
基板７の表側には同心円の周方向に沿って発光体６が取り付けられている。この様子が図３に示されている。同図において符号Ａは青色の発光体、符号Ｂは黄色の発光体、符号Ｃは赤色の発光体をそれぞれ指示している。この基板７の裏側にはＩＣ等の制御装置１０が設けられている。そして、この制御装置１０によって青色発光体、黄色発光体又は赤色発光体が選択的に発光制御可能となっている。なお、図示はしないが、各発光体６を外部電源と接続するための電源コードが設けられている。
【００２１】
図４は発光装置１を側面から見た場合の模式的断面図である。同図に示されるように、ケース２の内部には、レンズカバー３ｂと、レンズカバー３ｂによって保持されたレンズ３ａとが設置される。ケース２の前側には光拡散板４が設置される。そして、この光拡散板４のさらに前側には開口枠５が設置される。この開口枠５はケース２の前端部に外嵌するような構成となっていて、開口枠５とケース２の前端との間で光拡散板４を挟持することによって、光拡散板４がケース２に固定される。ケース２の後側には、多数の発光体６が取り付けられた基板７が設置される。そして、この基板７のさらに後側には後部蓋体８が設置される。この後部蓋体８はケース２の後端部に外嵌するような構成となっていて、後部蓋体８とケース２の後端との間で基板７を挟持することによって、基板７がケース２に固定される。
【００２２】
以上のように構成された発光装置１は例えば信号灯に使用される。この場合、特に限定はされないが、青色発光体、黄色発光体、赤色発光体の順で選択的に点灯する。
【００２３】
この発光装置１によれば、発光体６からの光は円錐状のレンズ３ａに入射されて、その一部が内部で複雑に反射し、光拡散板３ｂの凹部３ｂ−１で十分に拡散されて出射される。そして、さらに光拡散板４の凹凸で十分に拡散されて様々な方向に出射される。したがって、発光斑がなく、様々な方向から視認できることになる。
【００２４】
なお、上記実施形態では、円錐状のレンズ３ａを用いているが、この円錐状のレンズ３ａの代わりに円錐台状のレンズを用いてもよい。また、図５に示すように、円錐台状のレンズ３ｃに発光体６を埋設させてもよい。さらに、レンズは円錐状ではなく、角錐状とすることもできる。要は、レンズが錘状部分を持つことである。
【００２５】
上記実施の形態では、本発明の発光装置１を信号機に適用した例を示したが、集魚燈、風力発電機における野鳥保護用の警告燈、ビニールハウス等における植物の成長を助けるための植物培養燈に適用することができる。
その場合に、発光体６は、１色だけでなく、２色以上を同時に点灯させて、目的に適合する色に合成するようにしてもよい。
【図面の簡単な説明】
【００２６】
【図１】本発明に係る発光装置の斜視図である。
【図２】図１に示した発光装置の分解斜視図である。
【図３】発光体の配置の一例を示した正面図である。
【図４】図１に示した発光装置の断面図である。
【図５】本発明に係る発光装置の他の実施形態の要部を示した断面図である。
【符号の説明】
【００２７】
１  発光装置
２  ケース
２ａ  前部開口
３ａ  レンズ
４  光拡散板（光拡散部）
６  発光体
７  基板
８  後部蓋体
Ａ  青色発光体
Ｂ  黄色発光体
Ｃ  赤色発光体
【図１】
2005243919.tif 000003
【図２】
2005243919.tif 000004
【図３】
2005243919.tif 000005
【図４】
2005243919.tif 000006
【図５】
2005243919.tif 000007